(57)【要約】【課題】懸濁物質を含んだ原水を濾過する場合の耐用時間が長い濾過装置を提供する。【解決手段】原水は流入口７から原水室９内に導入され、フィルタ６を透過する。フィルタ６の略上半側にあっては、透過水は、透過水流路６ａ内を上向きに流れ、開口２ａ、透過水取出室４、取出口１０を介して取り出される。フィルタ６の略下半側にあっては、透過水は下向きに流れ、開口３ａ、透過水取出室５、取出口１１を介して取り出される。【選択図】図１
2007325994.tif 000002
【特許請求の範囲】
【請求項１】
ハウジング内にフィルタが配置されており、
該フィルタの内部に透過水流路が延設されており、
原水が該フィルタの外側に供給され、フィルタを透過した透過水が該透過水流路を経て取り出される濾過装置において、
該フィルタは、該透過水流路の両端側から透過水を流出させるように構成されていることを特徴とする濾過装置。
【請求項２】
請求項１において、前記ハウジングの両端側に透過水取出室が設けられ、該透過水取出室の間が原水室となっており、前記フィルタは該原水室に配置され、前記透過水流路の一端が一方の該透過水取出室に接続され、他端が他方の該透過水取出室に接続されていることを特徴とする濾過装置。
【発明の詳細な説明】
【技術分野】
【０００１】
本発明は液体を濾過するための濾過装置に係り、特にハウジング内にフィルタが配置され、原水がフィルタの外側に供給され、透過水がフィルタ内部の透過水流路を経て取り出されるよう構成された濾過装置に関する。
【背景技術】
【０００２】
ハウジング内にフィルタが配置され、原水がフィルタの外側に供給され、透過水がフィルタ内部の透過水流路を経て取り出されるよう構成された濾過装置にあっては、一般に、フィルタ内の透過水流路はフィルタの一端側のみから取り出されるよう構成されている（例えば特開２００２−１６６１０８号）。
【０００３】
この特開２００２−１６６１０８号にあっては、ハウジング（同号公報ではシェルと称している。）内の上部にアッパプレートが水平に設けられ、このアッパプレートから複数の円筒状フィルタカートリッジが垂設されている。この円筒状フィルタカートリッジの内孔（透過水流路）は、下端が封じられ、上部がアッパプレートの上側に向って解放している。シェル内に導入された原水はフィルタを外周側からフィルタカートリッジを透過し、フィルタカートリッジ内の透過水流路の上端からアッパプレートの上方側へ流出する。
【特許文献１】特開２００２−１６６１０８号
【発明の開示】
【発明が解決しようとする課題】
【０００４】
上記のように、フィルタの一端側のみから透過水を流出させるようにした従来例にあっては、フィルタの透過水流出口側（該一端側）ほど膜間差圧が高く、膜透過流速は、例えば図３の如く、膜間差圧の高い出口側において著しく高くなる。なお、図３は後述の比較例における膜透過流速の測定結果を示すグラフである。
【０００５】
このように一端側のみから透過水を流出させるようにカートリッジをハウジング内に設置した濾過装置にあっては、懸濁物質を含んだ被処理水がハウジング内に流入すると、フィルタの透過水流出口近傍膜面は流速分布が高いため、粗大粒子が表面に堆積し、急速に閉塞し、フィルタの有効膜面積が減少する。その後は、残存膜面により濾過は継続されるが、有効膜面積が小さいため、こちらも粗大粒子により短時間のうちに膜面が閉塞してしまう。そのため、フィルタ内部はまだ閉塞状態に至ってないにも拘らず、濾材としての耐用時間が短くなる。
【０００６】
本発明は、このような問題を解決し、懸濁物質を含んだ原水を濾過する場合の耐用時間が長い濾過装置を提供することを目的とする。
【課題を解決するための手段】
【０００７】
請求項１の濾過装置は、ハウジング内にフィルタが配置されており、該フィルタの内部に透過水流路が延設されており、原水が該フィルタの外側に供給され、フィルタを透過した透過水が該透過水流路を経て取り出される濾過装置において、該フィルタは、該透過水流路の両端側から透過水を流出させるように構成されていることを特徴とするものである。
【０００８】
請求項２の濾過装置は、請求項１において、前記ハウジングの両端側に透過水取出室が設けられ、該透過水取出室の間が原水室となっており、前記フィルタは該原水室に配置され、前記透過水流路の一端が一方の該透過水取出室に接続され、他端が他方の該透過水取出室に接続されていることを特徴とするものである。
【発明の効果】
【０００９】
本発明では、フィルタの両端側から透過水を取り出すようにしているので、フィルタ内部の透過水流路における差圧勾配が均一化され、膜面透過流速の分布が小さい。このため、粗大粒子によるフィルタの急速な閉塞が抑制され、フィルタ内部まで濾過に有効利用されるようになる。これにより、フィルタの耐用時間が長いものとなる。
【発明を実施するための最良の形態】
【００１０】
以下、図面を参照して実施の形態について説明する。図１（ａ）は実施の形態に係る濾過装置の縦断面図である。
【００１１】
略円筒形のハウジング１が円筒の軸心方向を上下方向にして設置されている。ハウジング１内の上部と下部にそれぞれ隔板２，３が設置され、隔板２の上側に透過水取出室４が形成され、下側に透過水取出室５が形成されている。これらの透過水取出室４，５の間が原水室９となっている。
【００１２】
この原水室９内に細長い円筒形のフィルタ６が上下方向に延設されている。このフィルタ６の上端は隔板２に当接し、下端は隔板３に当接している。フィルタ６内の透過水流路６ａの上部は、隔板２に設けられた開口２ａを介して透過水取出室４に接続され、下部は隔板３に設けられた開口３ａを介して透過水取出室５に接続されている。ハウジング１の頂部と下端部にそれぞれ透過水の取出口１０，１１が設けられている。
【００１３】
ハウジング１の側面に原水の流入口７が設けられている。なお、ハウジング１内には該流入口７に対峙してバッフル８が設けられている。
【００１４】
なお、フィルタ６としては、デプスフィルタ、活性炭フィルタ、ステンレスフィルタなど、ハウジング内に収納できるフィルタであるならばいずれも用いることができる。
【００１５】
フィルタ６の形状は、プリーツ型、シート型などのいずれでもよい。フィルタ６の上端及び下端と隔板２，３又は開口２ａ，３ａとの間のシールとしては、平パッキン方式、Ｏリング方式などのいずれでもよい。
【００１６】
このように構成された濾過装置において、原水は流入口７から原水室９内に導入され、フィルタ６を透過する。フィルタ６の略上半側にあっては、透過水は、透過水流路６ａ内を上向きに流れ、開口２ａ、透過水取出室４、取出口１０を介して取り出される。フィルタ６の略下半側にあっては、透過水は下向きに流れ、開口３ａ、透過水取出室５、取出口１１を介して取り出される。
【００１７】
このようにフィルタ６の上下両端側から透過水が取り出されるところから、フィルタ６の膜間差圧がフィルタ６の長手方向（上下方向）の全体において略々均等化される。この結果、粗大粒子によるフィルタの急速な閉塞が抑制され、フィルタの内部まで十分に濾過に寄与するようになり、濾材としての耐用時間が長いものとなる。
【００１８】
なお、原水としては、工水、井水、市水、排水の回収水などが例示されるが、これらに限定されない。
【００１９】
上記実施の形態は本発明の一例であり、本発明は図示以外の態様をもとりうる。例えば、ハウジング１内に複数本のフィルタ６を設置してもよい。
【実施例】
【００２０】
以下、実施例及び比較例について説明する。
【００２１】
実施例１
図１（ａ）の濾過装置において、フィルタ６として、キュノ（株）製の公称孔径１μｍの糸巻き型デプスフィルタを用い、次の条件にて設備を組み立て、通水を行った。
ハウジング１の直径  １６ｃｍ
原水室９の高さ  １０８ｃｍ
フィルタ６の外径  １２ｃｍ
フィルタ６の内径  ２．７ｃｍ
原水として、市販のカオリン（和光純薬（株））を市水に濃度３ｍｇ／Ｌに分散させたものを１．０ｍ３／ｍｉｎにて通水した。
【００２２】
このときのフィルタ６の長手方向における差圧分布の測定結果を図２に示す。また、差圧の経時変化を図４に示す。
【００２３】
図２の通り、この実施例１ではフィルタ６の長手方向における差圧分布が小さい。また、図４の通り、この実施例１では、通水開始から１５０時間までは差圧上昇は観測されなかった。
【００２４】
比較例１
図１（ｂ）のように、隔板２の代わりに開口２ａの無い隔板１３を用い、フィルタ６の透過水を下側の透過水取出室５にのみ流し出すようにした。
【００２５】
その他は実施例１と同一条件として通水を行ったところ、図３の通り、フィルタ６の差圧分布が大きいことが認められた。また、図４の通り、通水開始から７０時間でフィルタの差圧上昇が観測された。
【００２６】
これらの実施例及び比較例より、本発明例によるとフィルタの耐用時間が大幅に延長されることが確認された。
【図面の簡単な説明】
【００２７】
【図１】（ａ）図は実施の形態に係る濾過装置の縦断面図であり、（ｂ）図は比較例に係る濾過装置の縦断面図である。
【図２】実施例の流速分布を示すグラフである。
【図３】比較例の流速分布を示すグラフである。
【図４】実施例及び比較例の濾過差圧分布を示すグラフである。
【符号の説明】
【００２８】
１  ハウジング
２，３  隔板
４，５  透過水取出室
６  フィルタ
６ａ  透過水流路
【図１】
2007325994.tif 000003
【図２】
2007325994.tif 000004
【図３】
2007325994.tif 000005
【図４】
2007325994.tif 000006